(57)【要約】  本発明は、可能性のあるIEEE 802.15．3aの規格に関する提案の１つの待ち時間の問題を軽減する仕組みを提供している。本発明は、進展中の前記規格のように、フレーム同期シーケンス内に帯域拡張情報を位置させるが、実際のＴＦコード（９０９）を使用して、チャネル推定情報を３バンドチャネル推定情報と共に位置させる。ＰＬＣＰヘッダ（３０８）は、実際のＴＦコード（９０９）及びインターリーバを使用して伝送される。
2007504702.tif 000002
【特許請求の範囲】
【請求項１】
マルチ・バンド・ワイヤレス・パーソナル・エリア・ネットワークに関して帯域拡張を提供する方法であって、
（ａ）帯域拡張の情報をエンコードされたデジタルデータストリームのＰＬＣＰヘッダ内に含めるステップと、
（ｂ）前記エンコードされたデジタルデータストリームの前記ＰＬＣＰヘッダの後に、実際の時間周波数コードを使用して、３バンドチャネル推定情報と共にチャネル推定情報を位置させるステップと、
（ｃ）前記帯域拡張を含んでいる前記エンコードされたデジタルデータストリームをマルチバンドに渡って伝送するステップと、
（ｄ）前記実際の時間周波数コードを使用し、帯域拡張情報を含んでいる受信された前記エンコードされたデジタルデータストリームのＰＬＣＰヘッダをデコードするステップと、
（ｅ）デコードされた前記ＰＬＣＰヘッダの前記帯域拡張情報を使用して、前記マルチバンドストリームを復調するステップと、
を有する方法。
【請求項２】
前記マルチバンド・ワイヤレス・パーソナル・ネットワークは、超広帯域の符号化された直交周波数区分（ＵＷＢ  ＣＯＦＤＭ）ネットワークである、請求項１に記載の方法。
【請求項３】
ステップ（ａ）が、
(ａ．１)前記ＰＬＣＰヘッダのフレーム同期シーケンス内に前記帯域拡張情報を位置させるステップ、
を更に有する、請求項１に記載の方法。
【請求項４】
請求項３に記載の方法であって、前記のような含めるステップ（ａ）が、
（ａ．２）各シンボルに関して、フレーム同期として、４つのシーケンスの第１の所定の集合A=（A1、A2、A3、A4）の１つのシーケンスを選択するステップと、
（ａ．３）タイムフリッピングと、位相反転と、所定の除外を伴う（A1、A2、A3、A4）のタイムフリップされたバージョンの１つの使用とからなるグループから選択されたマッピングを使用して、前記選択されたシーケンスを変形するステップと、
（ａ．４）前記変形されたフレーム同期シーケンスを、４つのシーケンスの第２の所定の集合B=（B1、B2、B3、B4)の１つのシーケンスを使用して拡散するステップと、
を更に有する方法。
【請求項５】
前記フレーム同期は、多くても６ビットの情報を有しており、単純なレート１／２コードが使用されている、請求項４に記載の方法。
【請求項６】
前記単純なレート１／２コードは、
（ａ．４．１）３ビットを３つの帯域に渡って拡散するステップ、
を有する請求項５に記載の方法。
【請求項７】
前記フレーム同期は３ビットの情報を有する、請求項５に記載の方法。
【請求項８】
マルチバンド送信機によって使用される帯域を拡張する方法であって、
（ａ）エンコードされたデジタルデータストリームのＰＬＣＰヘッダのフレーム同期シーケンス内に帯域拡張の情報を含めるステップと、
（ｂ）実際の時間周波数コードを使用して、前記エンコードされたデジタルデータストリームの前記ＰＬＣＰヘッダの後に、３バンドチャネル推定情報と共にチャネル推定情報を位置させるステップと、
（ｃ）前記帯域拡張を含んでいるマルチバンドを越えて前記エンコードされたデジタルデータを伝送するステップと、
を有する方法。
【請求項９】
前記含めるステップ（ａ）が、
（ａ．２）各シンボルに関して、フレーム同期として、４つのシーケンスA=（A1、A2、A3、A4）の第１の所定の集合の１つのシーケンスを選択するステップと、
（ａ．３）タイムフリッピングと、位相反転と、所定の除外を伴う（A1、A2、A3、A4）のタイムフリップされたバージョンの１つの使用とからなるグループから選択されたマッピングを使用して、選択された前記シーケンスを変形するステップと、
（ａ．４）前記変形されたフレーム同期シーケンスを、４つのシーケンスB=（B1、B2、B3、B4)の第２の所定の集合の１つのシーケンスを使用して拡散するステップと、
を更に有する、
請求項８に記載の方法。
【請求項１０】
前記フレーム同期は、多くても６ビットの情報を有しており、単純なレート１／２コードが使用されている、請求項９に記載の方法。
【請求項１１】
前記単純なレート１／２コードは、
（ａ．４．１）３ビットを３つの帯域に渡って拡散するステップ、
を有する請求項１０に記載の方法。
【請求項１２】
前記フレーム同期は３ビットの情報を有する、請求項１０に記載の方法。
【請求項１３】
マルチバンド受信機によって使用される帯域を拡張する方法であって、
（ａ）実際の時間周波数コードを使用し、受信されたエンコードされたデジタルデータストリームのＰＬＣＰのヘッダを、フレーム同期シーケンス内に含まれている帯域拡張情報を得るためにデコードするステップと、
（ｂ）デコードされた前記ＰＬＣＰのヘッダから得られる前記帯域拡張情報を使用して、マルチバンドストリームを復調するステップと、
を有する方法。
【請求項１４】
（ｃ）クリア・チャネル・アセスメント（ＣＣＡ）のために、前記ＰＬＣＰのプリアンブルの並行スキャンを実施するステップ、を更に有する請求項１３に記載の方法。
【請求項１５】
キャリアレスの超広帯域の信号に埋め込まれる複数のシンボルの高速デジタルデータストリームであって、
−  自身のフレーム同期シーケンス内に、第１の帯域拡張情報を含んでいるＰＬＣＰプリアンブルと、
−  自身のＰＨＹヘッダ内に第２の帯域拡張情報を含んでいるＰＬＣＰヘッダであって、該ＰＬＣＰヘッダの末端にオプションの第３の帯域拡張情報を含んでいるＰＬＣＰヘッダと、
を有し、前記ＰＬＣＰヘッダは実際の時間周波数コード及びインターリーバを使用して伝送される、高速デジタルデータストリーム。
【請求項１６】
前記複数の各シンボルに関して、長さ１６の４つの可能なシーケンスA=(A1、A2、A3、A4)のうちの１つが、フレーム同期として選択され、
−  １．タイムフリッピング、即ち最後のものを最初に、最初のものを最後に送信すること、
−  ２．位相反転、及び
−  ３．所定の除外を伴うA=(A1、A2、A3、A4)のタイムフリップされたバージョンの１つの使用、
の３つの可能なオプションの１つを使用して変形され、変形された選択されたものは、次いで、長さ８の４つの可能なシーケンスB=(B1、B2、B3、B4)の１つを使用して拡散される、請求項１５に記載の信号。
【請求項１７】
前記フレーム同期は多くとも６ビットの情報を有し、単純なレート１／２コードが使用される、請求項１６に記載の信号。
【請求項１８】
前記単純なレート１／２コードは、３ビットを３つの帯域に拡散することを有する、請求項１７に記載の信号。
【請求項１９】
前記フレーム同期は３ビットの情報を有する、請求項１７に記載の信号。
【請求項２０】
複数のシンボルの高速デジタルデータストリームを具現化している、キャリアレスの超広帯域の信号のためのトランシーバであって、
−  ＵＷＢ信号を送信及び受信するアンテナと、
−  インターリーバを有し、前記アンテナに動作可能に結合されているＲＦ／アナログ部であって、受信された前記ＵＷＢ信号のＰＬＣＰプリアンブルを検出し、実際の時間周波数（ＴＦ）コード及び前記インターリーバを使用して、該ＵＷＢ信号のＰＬＣＰヘッダを変調及び復調するＲＦ／アナログ部と、
−  前記ＲＦ／アナログ部に動作可能に結合されている前記デジタルＰＨＹ部であって、チャネル推定に前記実際のＴＦコードを使用し、前記チャネル推定の情報を３バンドチャネル推定の情報と一緒に位置させると共に、帯域拡張情報を前記ＰＬＣＰのプリアンブルのフレーム同期シーケンス内に位置させ、オプションで、前記ＰＬＣＰヘッダの後に、前記フレーム同期を選択、変形及び拡散するＰＬＣＰエンコーダ／デコーダを有するデジタルＰＨＹ部と、
−  前記デジタルＰＨＹ部に動作可能に結合されているＭＡＣ部であって、入力データストリームを供給し、前記デジタルＰＨＹ部からの復調された及びデコードされたデータストリームを受信するＭＡＣ部と、
を有するトランシーバ。
【請求項２１】
前記複数の各シンボルに関して、長さが１６の４つの可能なシーケンスA=(A1、A2、A3、A4)のうちの１つが、フレーム同期として選択され、
−  １．タイムフリッピング、即ち最後のものを最初に、最初のものを最後に送ること、
−   ２．位相反転、及び
−   ３．所定の除外を伴うA=(A1、A2、A3、A4)のタイムフリップされたバージョンの１つの使用、
の３つの可能なオプションの１つを使用して変形され、変形された選択されたものは、次いで、長さ８の４つの可能なシーケンスB=(B1、B2、B3、B4)の１つを使用して拡散される、請求項２０に記載のトランシーバ。
【請求項２２】
前記フレーム同期は、多くとも６ビットの情報を有しており、単純なレート１／２コードが使用されている、請求項２１に記載の信号。
【請求項２３】
前記単純なレート１／２コードが、３ビットを３つの帯域に渡って拡散するステップを有する、請求項２２に記載の信号。
【請求項２４】
前記フレーム同期が３ビットの情報を有する、請求項２３に記載の信号。
【発明の詳細な説明】
【技術分野】
【０００１】
本発明は、ワイヤレス・パーソナル・エリア・ネットワークのための代替的なフレーム同期シーケンスに関する。
【背景技術】
【０００２】
超広帯域（ＵＷＢ）無線装置のシステム性能及びスペクトル効率は、空間容量及び他のパラメータの実際の制限を決定するために、進行中の調査の対象である。例えば、大気中でビデオを伝送するための高いデータレートに対する必要性が高まっており、狭帯域キャリア変調に基づいている今日の短距離ワイヤレスシステムは、前記のような高いデータレートに対して不十分である、又は該高いデータレートを有することができない。ＵＷＢ無線システムは、単純な変調と適切な符号化手法を使用しており、高データレート（ＨＤＲ）を実現して、短距離で100Mbsを越えるレートにおいてトランジットすることができる。代替的には、ＵＷＢ無線は、データレートを犠牲にしてリンク範囲を拡大することができ、低データレート用の正確な位置追尾機能（location tracking capabilities)及び位置追尾（ＬＤＲ／ＬＴ）機能と組み合わされることができる。これらの相補的な使用は、類似性の高いアーキテクチャに基づいて実施化されることができ、これまでにないスケーラビリティを有している。
【０００３】
ＵＷＢ装置のスペクトルフレキシビリティは、他のワイヤレス装置との同時配置（co-location）及び狭帯域干渉が存在する際の強固性の性能を提供する。これは、米国のみがＵＷＢに対する所定の規則を今日有しているため、種々の規制環境における動作も提供する。IEEE 802.15.3aのタスクグループは、提案されている実施化が、異なっている又は変化する国際的規則を満たすために、どのように拡張可能であるかに関して「スペクトルフレキシビリティ」に取り組んできた。ＵＷＢアーキテクチャは、新しく割り当てられたスペクトルを含むために後方互換性を諦めることなく又はＭＡＣを変化させることなく、容易に拡張されることができるのであろうか？
【０００４】
ＦＣＣは、ＵＷＢハンドヘルド装置が、帯域3.1-10．6GHzにおいて一様な電力スペクトル密度で通信することができることを規定している。前記IEEE 802.15．3aの規格は、変更された放射要件を他国が採用し、許可される帯域が将来追加される可能性のある場合に対処するように、進展している。
【０００５】
前記IEEE 802.15．3a規格のタスクグループへの提案の１つは、ＡＷＧＮにおいて20.5mの最大距離（モード１装置に対するマルチパス環境における１１ｍよりも長い）を有するＵＷＢ ＨＤＲ ワイヤレス・パーソナル・エリア・ネットワーク（ＷＰＡＮｓ）にマルチバンドＯＦＤＭシステムを使用している。前記提案は、フレーム同期シーケンスを帯域拡張に使用している。３バンド（即ちモード１）に関して、プリアンブル構造が図１に示されている。７バンド（即ちモード２）に関しては、ヘッダ及びチャネル推定拡張（帯域拡張）がインターリーブされる（図２参照）。ＭＡＣは、この新しい帯域を、今日割り当てられている帯域を支持して既に存在しているＭＡＣ内の既存のフィールドに割り当てることによって、追加的な帯域に対処している。ＰＨＹは、追加的なＵＷＢ帯域を支持するために必要な送信機及び受信機回路を付加することにより、この変更に対処している。
【０００６】
前記帯域拡張情報は、ＰＨＹヘッダ内に位置される。前記チャネル推定情報は、前記ＰＬＣＰヘッダに後続する。前記ＰＬＣＰヘッダは、１つのＣＯＦＤＭシンボル１００だけ延長される。１００ビットのインターリーバが、前記ＰＬＣＰヘッダに使用されている（図３参照）。
【０００７】
当該提案はいくつかの有利な点を有しており、確保されるビットの数が２から７に増加していること、前記ＰＬＣＰヘッダに関するテールビットの数が増加していること、及び１６のデータレートが支持されることができるように、ＲＡＴＥビットの数が３から４に増加していることである。
【発明の開示】
【発明が解決しようとする課題】
【０００８】
しかしながら、進展中の前記IEEE 802.15．3aの提案は、いくつかの不利な点も有しており、該不利な点とは、推定されるチャネルを前記ＰＬＣＰヘッダの後に位置させることにより受信機の設計を制約していること、前記受信機の設計に依存して、可能性のある待ち時間（latency）の問題が存在することである。前記１００ビットのインターリーバを使用することによるバーストエラー性能のある程度の損失が存在する。前記ＰＬＣＰヘッダは、例え７バンドが利用可能であるとしても、該ＰＬＣＰヘッダに対する可能性のあるＳＯＰ性能の影響が存在する結果、未だ３バンドを越えて伝送されている。結局、小さいサイズのパケットの場合、スループットに対する影響が存在するが、長いパケットの場合、この影響は軽微である。
【０００９】
待ち時間の問題についての可能性に関して、図４を参照すると、チャネル推定に約９つのＯＦＤＭシンボルの時間かかる場合、少なくとも１つのＯＦＤＭシンボルの時間の待ち時間が生じ、従って、ミキサへの前記ループを閉じるための時間が不十分になる。当該受信機の設計は、前記待ち時間の要件を満たすように高く制約されなければならない。このことは、性能を妥協させる。
【００１０】
本発明は、提案されているIEEE 802.15．3aの提案の上述の待ち時間の問題を緩和するための仕組みを提供することにある。
【課題を解決するための手段】
【００１１】
本発明は、提案されている前記規格のように、フレーム同期シーケンス内に帯域拡張情報を位置させるが、チャネル推定情報を、実際のＴＦコードを使用して、３バンドチャネルの推定情報と共に位置させる。ＰＬＣＰヘッダは、実際のＴＦコード及びインターリーバを使用して伝送される。
【００１２】
好適実施例において、各シンボルに対して、４つの可能な信号のうちの１つが、長さ８のシーケンスを使用して拡散されているフレーム同期シーケンスに対する３つの可能なオプションのうちの１つを使用することによって、フレーム同期として伝送される。
【００１３】
この取り組み方は、構造の変化を伴わずに前記待ち時間の問題を解消し、チャネル推定のシームレスな処理と、前記ＰＣＬＰヘッダ情報の増加を伴わないＰＣＬＰヘッダのデコードとを提供するものであり、前記フレーム同期の検出として信頼できるものである。
【発明を実施するための最良の形態】
【００１４】
以下の記載は、限定するためではなく説明のために与えられていることは、当業者によって理解されるであろう。当業者であれば、本発明の精神及び添付請求項の範囲内にある多くの変更が存在することを理解するであろう。既知の機能及び演算の不必要な詳細は、本発明を不明瞭にしないように、本明細書において省略され得る。
【００１５】
進展中のIEEE 802.15．3aの提案において、ＰＬＣＰプリアンブルは、モード１（３バンド）及びモード２（７バンド）装置の両方が、同一のピコネットにおいて動作することを可能にするように設計されている。従って、同一のピコネット内の全ての装置は、前記ＰＬＣＰプリアンブルを検出し、該ＰＬＣＰヘッダのＰＨＹ／ＭＡＣヘッダを復調することができなければならない。
【００１６】
図３を参照すると、本発明のシステム及び方法が、（進展中の前記IEEE 802.15．3aの規格のような）フレーム同期シーケンス内に、帯域拡張情報を位置させるが、実際の時間周波数（ＴＦ）コードを使用して３バンドチャネル推定情報と共に、チャネル推定情報を位置させる。前記ＰＣＬＰヘッダは、図５ないし７に示されているように、実際のＴＦコード及びインターリーバを使用して伝送されている。
【００１７】
各シンボルに関して、４つの可能なシーケンスA=(A1、A2、A3、A4)のうちの１つが、フレーム同期として選択され、
１．タイムフリッピング、即ち最後のものを最初に、最初のものを最後に送信すること、
２．位相反転、及び
３．所定の除外（exclusion）を伴うA=（A1、A2、A3、A4）のタイムフリップされたバージョンの１つの使用、
の３つの可能なオプションのうちの１つを使用して変形される。変形された選択されたものは、長さ８の４つの可能なシーケンスB=(B1、B2、B3、B4)の１つを使用して、拡散される（図８参照）。
【００１８】
６ビットの情報が、前記フレーム同期シンボルによって伝送されることができる。好適実施例において、単純なレート１／２コードが、性能を改善するのに使用されている。一実施例において、これは、３つの帯域に渡って拡散している３ビットである。代替的な実施例においては、わずか３ビットの情報が伝送される。
【００１９】
好適実施例は、少数の付加的なハードウェアによるプリアンブル感知ハードウェアを使用しており、ＣＣＡに関してプリアンブルの並行スキャンが実施されることもできる。チャネル推定が隣接しているので、実施は、大幅に容易化されている。
【００２０】
実際のＴＦコードは、チャネル推定とＰＬＣＰヘッダデコードとの両方の間に使用される。このＴＦコードは、プリアンブルシーケンスに関連しているので、先験的に既知のものである。
【００２１】
本発明は、上述の進展中の規格の待ち時間の問題を、構造の変化を伴わずに解消し、チャネル推定のシームレスな処理と、ＰＬＣＰヘッダ情報の増加を伴わない該ＰＬＣＰヘッダのデコードとを提供し、前記フレーム同期の検出として信頼できるものである。
【００２２】
図９は、本発明による実施例を組み込んでいる例示的なシステムアーキテクチャのブロック図を示している。図３に示したように、ＰＬＣＰプリアンブル３０１が最初に送信され、ＰＬＣＰヘッダ３０２が後続し、オプションの帯域拡張シーケンス３０３が後続し、フレームペイロード３０４、ＦＣＳ３０５、テールビット３０６及び最後にパッドビット３０７が後続する。ＰＬＣＰヘッダ３０２は、常に、モード１を使用して伝送される。ＰＬＣＰフレームの残部（フレームペイロード３０４、ＦＣＳ３０５、テールビット３０６、及びパッドビット３０７）は、モード１又はモード２のいずれかを使用して、55、80、110、160、200、320又は480Mb/sの所望の情報データレートにおいて送信される。フレームペイロード３０４が、モード２を使用して伝送される場合、オプションの帯域拡張フィールドは、ＰＬＣＰヘッダ３０２に後続する。前記オプションの帯域拡張フィールド３０３は、フレームペイロード３０４がモード１を使用して伝送される場合、使用されない。
【００２３】
典型的なＯＦＤＭトランシーバは、ＲＦ／アナログ部９０４から受信される及び該ＲＦ／アナログ部に供給される受信信号を送信するアンテナ９１０を有しており、ＲＦ／アナログ部９０４はデジタルＰＨＹ部９０５に動作可能に結合されており、デジタルＰＨＹ部９０５は、更に、ＭＡＣ部９０６へのデータ９０７と該ＭＡＣ部９０６から受信されたデータ９０８とを供給する。
【００２４】
シミュレーション結果が、図１０ないし１２に示されている。図１０は、フリップ(A1)、フリップ(A1)、(-A1)の伝送されるフレーム同期シーケンスに対して100Mb/sの理想的なチャネルにおける実際のシミュレーションからの時間ドメインシーケンスに対する相関出力を示している。このシーケンスは、非常に良好な相互相関特性（-21dB隔離）を呈した。図１１は、ＡＷＧＮチャネル及び1 dB Eb/NO、フリップ（A2）、フリップ（A2）、（-A）の伝送されるフレーム同期シーケンスのための110Mb/sモードに関するシミュレーション結果を示している。同期化は可能であり、フレーム同期データはデコード可能であったが、ペイロードデータは、このＳＮＲ及びチャネルにおいてデコード可能ではなかった。図１２は、CM-4-1及び6 dB Eb/NO、フリップ(A2)、フリップ(A2)、(-A1)の伝送されるフレーム同期シーケンスに対する100Mb/sモードに関するシミュレーション結果を示している。同期化は可能であり、フレーム同期データはデコード可能であったが、ペイロードデータは、このＳＮＲ及びチャネルにおいてデコード可能ではなかった。
【００２５】
本発明のトランシーバ及び方法は、ワイヤレス・パーソナル・エリア・ネットワークに、ビデオ、オーディオ、テキスト、ピクチャ及びデータの伝達に、並びにセンサ、アラーム、コンピュータ、音響映像機器及び娯楽システムの制御に使用されることができる。例えば、デジタルカメラの中身が、ワイヤレスでコンピュータにダウンロードされることができる。
【００２６】
本発明の好適実施例が説明され記載されたが、当業者であれば、様々な変更及び変形を作ることが可能であり、本発明の真の範囲から逸脱することなく、本発明の構成要素に等価なものが代用され得ることを理解するであろう。更に、多くの変形が、本発明の中心的な範囲を逸脱することなく、特定の状況に本発明の教えを適応させるように作られることができるであろう。従って、本発明は、本発明を実行するために熟慮された最良のモードとして開示された特定の前記実施例に限定されるものではなく、本発明は、添付請求項の範囲内にある全ての実施例を含むものである。このことは、ＵＷＢスペクトルの期待されている進展のため、特に適切であり、添付請求項によって予想され、上述の開示で表現されている。
【図面の簡単な説明】
【００２７】
【図１】モード１（３バンド）装置のＰＬＣＰプリアンブルを示している。
【図２】モード２（７バンド）装置のＰＬＣＰプリアンブルを示している。
【図３】ＰＨＹヘッダのフォーマットを強調表示して、IEEE 802.15．3aの提案されているパケット形式を示している。
【図４】IEEE 802.15．3aの試案の待ち時間分析を示している。
【図５】本発明のパケット構造を示している。
【図６】本発明の実施例によるモード１の場合のＰＬＣＰプリアンブルを示している。
【図７】本発明の実施例によるモード２（７バンド）の場合のＰＬＣＰプリアンブルを示している。
【図８】前記IEEE 802.15．3aの試案のプリアンブルパターンを示している。
【図９】本発明の実施例によるトランシーバの実施例を示している。
【図１０Ａ】理想的なチャネル、即ち伝送されるフレーム同期シーケンス（フリップ（A1）、フリップ（A1））に対して110Mb/sにおける実際のシミュレーションからの時間ドメインのシーケンスに対する相関出力を示している。
【図１０Ｂ】理想的なチャネル、即ち伝送されるフレーム同期シーケンス（フリップ（A1）、フリップ（A1））に対して110Mb/sにおける実際のシミュレーションからの時間ドメインのシーケンスに対する相関出力を示している。
【図１０Ｃ】理想的なチャネル、即ち伝送されるフレーム同期シーケンス（フリップ（A1）、フリップ（A1））に対して110Mb/sにおける実際のシミュレーションからの時間ドメインのシーケンスに対する相関出力を示している。
【図１０Ｄ】理想的なチャネル、即ち伝送されるフレーム同期シーケンス（フリップ（A1）、フリップ（A1））に対して110Mb/sにおける実際のシミュレーションからの時間ドメインのシーケンスに対する相関出力を示している。
【図１１Ａ】ＡＷＧＮチャネル及び1dB Eb/NO、110Mb/sモードに関するシミュレーション結果を示している。
【図１１Ｂ】ＡＷＧＮチャネル及び1dB Eb/NO、110Mb/sモードに関するシミュレーション結果を示している。
【図１２Ａ】CM4-1及び6 dB Eb/NO、110Mb/sモードに関するシミュレーション結果を示している。
【図１２Ｂ】CM4-1及び6 dB Eb/NO、110Mb/sモードに関するシミュレーション結果を示している。
【図１】
2007504702.tif 000003
【図２】
2007504702.tif 000004
【図３】
2007504702.tif 000005
【図４】
2007504702.tif 000006
【図５】
2007504702.tif 000007
【図６】
2007504702.tif 000008
【図７】
2007504702.tif 000009
【図８】
2007504702.tif 000010
【図９】
2007504702.tif 000011
【図１０Ａ】
2007504702.tif 000012
【図１０Ｂ】
2007504702.tif 000013
【図１０Ｃ】
2007504702.tif 000014
【図１０Ｄ】
2007504702.tif 000015
【図１１Ａ】
2007504702.tif 000016
【図１１Ｂ】
2007504702.tif 000017
【図１２Ａ】
2007504702.tif 000018
【図１２Ｂ】
2007504702.tif 000019
【国際調査報告】
2007504702.tif 000020
2007504702.tif 000021